(57)【特許請求の範囲】
【請求項１】
紙葉類を収納又は繰り出しする紙葉類収納繰り出し装置において、
紙葉類を投入又は排出する投入排出口と、
一端が前記投入排出口の近傍に設けられて、前記投入排出口に投入された前記紙葉類を装置内に搬送又は装置内の前記紙葉類を前記投入排出口方向へ搬送するよう正逆方向に搬送可能な搬送路と、
繰り出されるべき前記紙葉類を格納しておく第１のカセットと、
前記第１のカセットから前記搬送路に前記紙葉類を繰り出す排出搬送路と、
前記搬送路の他端側に配置されて前記搬送路によって搬送された前記紙葉類を一時的に積層収納するとともに収納すべき前記紙葉類を押し出すプール手段と、
前記プール手段により押し出された前記紙葉類を収納する第２のカセットと、
を備え、
前記プール手段は、
前記紙葉類を下方へ落とし込むための開口を中央部に設けた、前記紙葉類を積層して収納する紙葉類収納皿と、
前記搬送路によって搬送される前記紙葉類の幅方向中央部に向けて拡径した、前記紙葉類を前記紙葉類収納皿へ送り出す又は前記紙葉類収納皿に収納された前記紙葉類を前記搬送路へ送り出すくせつけローラと、
前記紙葉類収納皿の上部に前記紙葉類の送り出し方向に沿って両側に配置され、前記紙葉類収納皿に対向する面が前記くせつけローラによって前記紙葉類が送り出される位置よりも前記紙葉類収納皿側に位置し、前記くせつけローラと同期して動作するベルトガイドと、
前記紙葉類収納皿の前記開口に対して進入又は退避可能に設けられて前記ベルトガイドと協働して、前記紙葉類収納皿に積層収納された前記紙葉類を前記くせつけローラへ繰り出す繰り出しベルトと、
前記第２のカセットに収納された前記紙葉類の面に対して直角方向に往復運動可能に前記紙葉類収納皿の上部中央に配置されて、前記紙葉類収納皿に積層収納された前記紙葉類を送り方向の一方から、前記第２のカセットに押し込むようにした前記紙葉類の送り方向に細長いプレス板を有するプレッシャーと、
を有することを特徴とする紙葉類収納繰り出し装置。
【請求項２】
前記プレッシャーは、
前記紙葉類の前記第２のカセットへの押し込み動作時に１回転する回転板と、
先端に前記プレス板が遥動可能に軸支され、前記回転板の回転運動を往復運動に変換する可動板と、
前記プレス板を前記紙葉類収納皿に収納された前記紙葉類に対して平行になる第１の位置と斜めになる第２の位置との間で揺動させるよう前記可動板に軸支されたレバーと、
前記プレス板が前記第２の位置となるように前記レバーを付勢するばねと、
前記可動板が前記紙葉類収納皿とは反対の側に移動したときに前記プレス板が前記第１の位置をとるように前記レバーを前記ばねの付勢力に抗して揺動させる固定軸と、
を備えていることを特徴とする請求項１記載の紙葉類収納繰り出し装置。
【請求項３】
前記繰り出しベルトが前記紙葉類収納皿の前記開口から退避しているとき、前記くせつけローラが前記紙葉類を送り出す位置に移動して前記搬送路から搬送されてくる前記紙葉類に対してその幅方向中央部を前記繰り出しベルトのある側と反対側へ変形させるとともに、前記紙葉類収納皿に収納された前記紙葉類の逆流を防止するストッパーを備えていることを特徴とする請求項１記載の紙葉類収納繰り出し装置。
【請求項４】
前記ストッパーは、
前記繰り出しベルトの動作に応動するレバーと、
前記レバーの一端と接触し、前記レバーに応動して前記紙葉類収納皿に収納された前記紙葉類の前記くせつけローラへの逆流を防止する位置又は前記紙葉類収納皿に収納された前記紙葉類を前記搬送路に繰り出し可能にする位置に応動するように軸支された逆流止めと、
前記逆流止めを、前記紙葉類収納皿に収納された前記紙葉類の前記くせつけローラへの逆流を防止する位置の方向に付勢するばねと、
を備えていることを特徴とする請求項３記載の紙葉類収納繰り出し装置。
【請求項５】
前記くせつけローラに隣接して設けられ、前記紙葉類の前記紙葉類収納皿への搬送方向後端を下方へ移行させる弾性体からなる羽根車を有することを特徴とする請求項１記載の紙葉類収納繰り出し装置。
【請求項６】
紙葉類を収納又は繰り出しする紙葉類収納繰り出し装置において、
紙葉類を投入又は排出する投入排出口と、
一端が前記投入排出口の近傍に設けられて、前記投入排出口に投入された前記紙葉類を装置内に搬送又は装置内の前記紙葉類を前記投入排出口方向へ搬送するよう正逆方向に搬送可能な搬送路と、
繰り出されるべき前記紙葉類を格納しておく第１のカセットと、
前記第１のカセットから前記搬送路に前記紙葉類を繰り出す排出搬送路と、
前記搬送路の他端側に配置されて前記搬送路によって搬送された前記紙葉類を一時的に積層収納するとともに収納すべき前記紙葉類を押し出すプール手段と、
前記プール手段により押し出された前記紙葉類を収納する第２のカセットと、
を備え、
前記プール手段は、前記第２のカセットに収納された前記紙葉類の面に対して傾斜した状態に設けられていることを特徴とする紙葉類収納繰り出し装置。
【発明の詳細な説明】
【０００１】
【発明の属する技術分野】
本発明は紙葉類を収納、繰り出しする紙葉類収納繰り出し装置に関し、特に手票を入金または出金する紙葉類収納繰り出し装置に関する。
【０００２】
【従来の技術】
現金自動預入れ支払機などの紙葉類収納繰り出し装置には、紙幣のほかに手票を扱うものがある。手票とは、韓国で流通する通貨の１０万ウォンに相当する定額小切手である。韓国には、千ウォン、５千ウォン、１万ウォンの紙幣は存在するが、１０万ウォンという紙幣は存在しない。そこで、１０万ウォンにあたる紙幣が手票という形で存在する。
【０００３】
従来の手票を扱う紙葉類収納繰り出し装置は、手票を入金するための投入口と手票を出金するための排出口とに分かれ、それぞれが手票を搬送するための搬送路、手票を一時的に収納するプール、手票を収納するカセットなどを有する。
【０００４】
例えば、手票を入金するための投入部は、手票のデータを読み取るための搬送路と、手票の投入日などを印字するための搬送路と、投入された手票のデータが読み取れない場合、手票を返却するための搬送路などを有する。また、データを読み取られた手票を一時的に収納するプールと、データを読み取れなかった手票を返却するために一時的に収納するプールなどを有する。また、データを読み取られた、プールに一時収納された手票を収納するカセットなどを有する。
【０００５】
手票を出金するための排出部は、たとえば出金するための手票を収納しておく出金カセットと、出金カセットからの出金するための手票を一時的に収納するプールと、手票をプールから排出口に搬送するための搬送路などを有する。
【０００６】
ここで、図２１に従来のプール部の側断面図を、図２２に手票全体が手票収納皿から落とし込まれるときの図を示す。図２１に示すように従来のプール部は、手票を搬送する搬送ローラ７０と、搬送ローラ７０から搬送された手票を収納する、中央部に開口部を有する手票収納皿７１から構成される。搬送ローラ７０によって手票収納皿７１に搬送される紙葉類の先端は、図に示すように下方にたわむ。このため、搬送される紙葉類の先端が、手票収納皿７１のすでに収納されている手票の表面に引っかかりジャムを引き起こすことがある。また、図２２に示すように、手票全体を手票収納皿７１の開口部から、収納カセットに落とし込まれると、手票が、ばらけて落ち、収納カセットでジャムを引き起こす可能性がある。
【０００７】
【発明が解決しようとする課題】
このように、従来の紙葉類収納繰り出し装置では、投入部と、排出部とに分かれ、別々に搬送路やプール部などを設けているために部品点数が多くなってしまい、小型化、低コスト化の障害になるという問題点があった。
【０００８】
また、紙葉類のジャムの発生が起こりやすいため、ジャムが発生した手票を頻繁に整理しなおさなければならないという問題点があった。
本発明はこのような点に鑑みてなされたものであり、部品点数を減らし小型で安価な紙葉類収納繰り出し装置を提供することを目的とする。
【０００９】
また、本発明では、紙葉類のジャムの発生を防止し、紙葉類の整理が不要な紙葉類収納繰り出し装置を提供することを目的とする。
【００１０】
【課題を解決するための手段】
本発明では上記問題を解決するために、紙葉類を収納又は繰り出しする紙葉類収納繰り出し装置において、紙葉類を投入又は排出する投入排出口と、一端が前記投入排出口の近傍に設けられて、前記投入排出口に投入された前記紙葉類を装置内に搬送又は装置内の前記紙葉類を前記投入排出口方向へ搬送するよう正逆方向に搬送可能な搬送路と、繰り出されるべき前記紙葉類を格納しておく第１のカセットと、前記第１のカセットから前記搬送路に前記紙葉類を繰り出す排出搬送路と、前記搬送路の他端側に配置されて前記搬送路によって搬送された前記紙葉類を一時的に積層収納するとともに収納すべき前記紙葉類を押し出すプール手段と、前記プール手段により押し出された前記紙葉類を収納する第２のカセットと、を備え、前記プール手段は、前記紙葉類を下方へ落とし込むための開口を中央部に設けた、前記紙葉類を積層して収納する紙葉類収納皿と、前記搬送路によって搬送される前記紙葉類の幅方向中央部に向けて拡径した、前記紙葉類を前記紙葉類収納皿へ送り出す又は前記紙葉類収納皿に収納された前記紙葉類を前記搬送路へ送り出すくせつけローラと、前記紙葉類収納皿の上部に前記紙葉類の送り出し方向に沿って両側に配置され、前記紙葉類収納皿に対向する面が前記くせつけローラによって前記紙葉類が送り出される位置よりも前記紙葉類収納皿側に位置し、前記くせつけローラと同期して動作するベルトガイドと、前記紙葉類収納皿の前記開口に対して進入又は退避可能に設けられて前記ベルトガイドと協働して、前記紙葉類収納皿に積層収納された前記紙葉類を前記くせつけローラへ繰り出す繰り出しベルトと、前記第２のカセットに収納された前記紙葉類の面に対して直角方向に往復運動可能に前記紙葉類収納皿の上部中央に配置されて、前記紙葉類収納皿に積層収納された前記紙葉類を送り方向の一方から、前記第２のカセットに押し込むようにした前記紙葉類の送り方向に細長いプレス板を有するプレッシャーと、を有することを特徴とする紙葉類収納繰り出し装置が提供される。
【００１１】
このような紙葉類収納繰り出し装置によれば、搬送路は、紙葉類を投入排出口方向またはプール手段の方向に搬送し、排出搬送路は第１のカセットに格納された紙葉類を搬送路に繰り出す。プール手段は、搬送路によって搬送された紙葉類を一時的に積層収納するとともに、収納すべき紙葉類を第２のカセットに押し出す。これにより、紙葉類収納繰り出し装置の部品点数を低減する。
【００１２】
また、くせつけローラは、紙葉類をたわませてこしをつけ、ベルトガイドは、紙葉類に接触して、搬送力をもたせて紙葉類収納皿に引き込む。また、プレッシャーは、紙葉類収納皿の紙葉類を紙葉類の送り方向の一方から第２のカセットに押し込む。これにより、紙葉類のジャムの発生を防止する。
【００１３】
【発明の実施の形態】
以下、本発明の紙葉類収納繰り出し装置の実施の形態を、手票の入金、出金を行う手票自動預入れ支払機に適用した場合を例に図面を参照して詳細に説明する。
【００１４】
図１は手票自動預入れ支払機の側断面図である。図に示す手票自動預入れ支払機は、手票を入金または出金するための手票入出口１と、手票入出口１から斜め下方に向けて設けられる搬送路２と、出金するための手票を格納しておく出金カセット３と、出金カセット３から搬送路２に合流する搬送路４と、搬送路２の終端に設けられ、手票を一時的に収納するプール部５（詳細は後述）と、プール部５の上方に設けられ、プール部５に収納された手票を下方へ落とし込むプレッシャー６（詳細は後述）と、プール部５の下方に位置し、プレッシャー６によって落とし込まれる手票を収納する収納カセット７とから構成される。
【００１５】
搬送路２は、手票を搬送するための搬送ローラ２０ａ〜２０ｊを周囲に配置される。搬送ローラ２０ａ〜２０ｊが回動することによって、手票は、手票入出口１、またはプール部５の方向へ搬送される。また、搬送路２には、搬送される手票の厚さを検出する厚さ検出器２１と、長さを検出する長さ検出器２２とが配置され、また、手票に印字されているＭＩＣＲ(Magnetic Inc Character Recognition)文字を読み取るための磁気ヘッド２３と、手票に印字を行うプリンタ２４が配置される。ここで、ＭＩＣＲ文字とは、手票の固有のデータを磁気印字によって示したものである。
【００１６】
出金カセット３は、出金するための手票を長手方向を図中下方に向けて格納する。
搬送路４は、手票を搬送するための搬送ローラ４０ａ〜４０ｃを周囲に有し、搬送ローラ４０ａ〜４０ｃが回転することによって出金カセット３に格納されている手票を搬送路２へ送る。搬送ローラ４０ａは、出金カセット３に格納されている、搬送路４に最も近い手票の最下部に接触して、図中時計回り方向に回転して１枚ずつ手票を引き出す。
【００１７】
プール部５は、搬送路２から搬送された手票を収納するための収納皿を有する。この収納皿は、手票を積層して収納し、積層収納した手票がプレッシャー６によって下方（収納カセット７）に押し込まれるための開口を中央部に有する。また、プール部５は、収納皿に積層収納された手票を束にして、搬送路２に繰り出す。
【００１８】
プレッシャー６は、プール部５に積層収納された、入金された手票を上方から収納カセット７へ押し込む。
以下、手票自動預入れ支払機の動作を手票の入金における動作と、出金における動作に分けて説明する。
【００１９】
まず、手票自動預入れ支払機の入金における動作について説明する。入金する手票を手票入出口１に投入する。投入された手票は、１枚ずつ搬送路２によってプール部５の方向へ搬送される。このとき、手票は、厚さ検出器２１と長さ検出器２２によって、手票の厚さ、長さを検出される。さらに、手票は、磁気ヘッド２３を通過し、ＭＩＣＲ文字を読み取られ、固有のデータを取得される。さらに、手票は、搬送路２を搬送され、プリンタ２４を通過し、入金日の日付などを印字される。印字された手票は、さらに搬送路２を搬送されて、プール部５に積層収納される。
【００２０】
プレッシャー６は、手票入出口１に入金された手票がすべてプール部５に収納されたとき、またはプール部５に積層収納できる収納上限枚数に達したとき、下降してプール部５に収納された手票を収納カセット７に押しこむ。
【００２１】
次に、手票自動預入れ支払機の出金における動作について説明する。
まず、出金カセット３に格納されている手票が、搬送ローラ４０ａによって１枚ずつ搬送路４に引き出される。搬送路４は、手票を搬送路２に繰り出す。
【００２２】
搬送路２に搬送された手票は、搬送路２によってプール部５に搬送される。このとき、プリンタ２４によって、出金日などが印字される。印字された手票は、プール部５に一時収納される。
【００２３】
プール部５は、収納される手票が出金枚数になったとき、またはプール部５に収納できる収納上限枚数に達したとき、束で搬送路２に繰り出す。搬送路２は、プール部５から繰り出された手票を手票入出口１へ束搬送する。
【００２４】
このように、搬送路２は、手票を手票入出口１方向またはプール部５の方向に搬送し、搬送路４は出金カセット３に格納された手票を搬送路２に繰り出し、プール部５は、搬送路２によって搬送された手票を一時的に収納するとともに、収納すべき手票をプレッシャー６によって収納カセット７に押し出されるので、搬送路の本数、手票を一時収納するプールの数を減らすことができ、小型で安価に製造することができる。
【００２５】
次に、プール部について詳細に説明する。
図２はプール部の平面図、図３はプール部の側断面図、図４はプール部の正面図である。
【００２６】
図２〜４に示すようにプール部５は、中央部に開口部を有する手票を積層収納する手票収納皿５０と、手票収納皿５０の手票が収納、繰り出される位置に設けられるくせつけローラ５１ａ、５１ｂ、送りローラ５２ａ、５２ｂと、羽根車５３ａ、５３ｂと、手票収納皿５０の上方に配置されるベルトガイド部５４と、手票収納皿５０の開口部下方に、進入、退避可能に設けられた繰り出しベルト部５５ａ、５５ｂと、送りローラ５１ａ、５１ｂの間の中央部に設けられた、手票の手票収納皿５０からの逆流を防止するストッパー５６とから構成される。
【００２７】
手票収納皿５０は、くせつけローラ５１ａ、５１ｂと、送りローラ５２ａ、５２ｂから送り出される手票を積層収納する。また、手票収納皿５０は、中央部に積層収納した手票を下方に落としこむための開口部を有する。
【００２８】
くせつけローラ５１ａ、５１ｂは、同一回動軸上に手票の幅より狭い間隔で設けられる。また、くせつけローラ５１ａ、５１ｂは、互いに対向する側が拡径となっている。送りローラ５２ａ、５２ｂは、くせつけローラ５１ａ、５１ｂの上部に配置される。手票は、回動するくせつけローラ５１ａ、５１ｂと送りローラ５２ａ、５２ｂとの間を通過する。
【００２９】
羽根車５３ａ、５３ｂはゴムからなり、くせつけローラ５１ａ、５１ｂと同じ回動軸上にあり、くせつけローラ５１ａと５１ｂの間で、くせつけローラ５１ａ、５１ｂに隣接して取り付けられている。
【００３０】
ベルトガイド部５４は、ベルト５４ａ、５４ｂと、プーリ５４ｃ〜５４ｆとから構成される。ベルト５４ａは、プーリ５４ｃ、５４ｄに巻き掛けられ、ベルト５４ｂは、プーリ５４ｅ、５４ｆに巻き掛けられる。プーリ５４ｃ〜５４ｆが回動することによって、ベルト５４ａ、５４ｂは回動する。ベルト５４ａ、５４ｂの手票収納皿５０に面している面は、くせつけローラ５１ａ、５１ｂと送りローラ５２ａ、５２ｂの手票を送り出す間より低いところにあるように配置される。また、ベルト５４ａ、５４ｂは、くせつけローラ５１ａ、５１ｂより広い間隔で配置される。
【００３１】
繰り出しベルト部５５ａは、ベルト５５ａａと、プーリ５５ａｂ、５５ａｃとから構成される。ベルト５５ａａは、プーリ５５ａｂ、５５ａｃに巻き掛けられ、プーリ５５ａｂ、５５ａｃが回動することによって回動する。また、プーリ５５ａｂの回動軸の位置は、固定されており、プーリ５５ａｃの回動軸は、プーリ５５ａｂの回動軸を支点として揺動可能である。すなわち、繰り出しベルト部５５ａは、プーリ５５ａｂの回動軸を支点として揺動する（矢印Ａ１、Ａ２方向）。
【００３２】
繰り出しベルト部５５ｂは、ベルト５５ｂａと、プーリ５５ｂｂ、５５ｂｃとから構成される。ベルト５５ｂａは、プーリ５５ｂｂ、５５ｂｃに巻き掛けられ、プーリ５５ｂｂ、５５ｂｃが回動することによって回動する。また、プーリ５５ｂｂの回動軸の位置は、固定されており、プーリ５５ｂｃの回動軸は、プーリ５５ｂｂの回動軸を支点として揺動可能である。すなわち、繰り出しベルト部５５ｂは、プーリ５５ｂｂの回動軸を支点として揺動する（矢印Ａ１、Ａ２方向）。また、繰り出しベルト部５５ａ、５５ｂは、連動して揺動する。
【００３３】
ここで、図５にストッパーと搬送ローラと繰り出しベルト部の側断面図を示す。
ストッパー５６は、逆流止め５６ａと、レバー５６ｂと、ばね５６ｃとから構成される。逆流止め５６ａは、支点５６ｄで揺動可能に軸支されている。支点５６ｄは、くせつけローラ５１ａ、５１ｂと送りローラ５２ａ、５２ｂの間の手票が通過する位置より下方にあり、くせつけローラ５１ａ、５１ｂの回動軸より、手票が搬送されてくる側（図５において左方）に位置する。
【００３４】
レバー５６ｂは、一部を繰り出しベルト部５５ａ、５５ｂに固定され、一端を逆流止め５６ａに接触している。さらに、レバー５６ｂは、逆流止め５６ａとばね５６ｃで連結されている。
【００３５】
繰り出しベルト部５５ａ、５５ｂが矢印Ａ１方向に揺動すると、逆流止め５６ａは、繰り出しベルト部５５ａ、５５ｂに一部固定されているレバー５６ｂによって、支点５６ｄを中心に図中時計回り方向に揺動する。逆流止め５６ａの面Ｂ１は、くせつけローラ５１ａ、５１ｂと、送りローラ５２ａ、５２ｂの間の手票が通過する位置より下方に位置する。
【００３６】
繰り出しベルト部５５ａ、５５ｂが矢印Ａ２方向に回動すると、逆流止め５６ａは、ばね５６ｃの縮もうとする力によって、支点５６ｄを中心に図中反時計回り方向に揺動する。逆流止め５６ａの面Ｂ１は、くせつけローラ５１ａ、５１ｂ、送りローラ５２ａ、５２ｂの間の手票が通過する位置を上方とした斜面となる。逆流止め５６ａの面Ｂ２は、くせつけローラ５１ａ、５１ｂ、送りローラ５２ａ、５２ｂの間の手票が通過する位置に移動する。
【００３７】
以下、プール部の動作を、入金された手票がプール部に収納されるときの動作と、出金される手票がプール部から繰り出されるときの動作に分けて説明する。
まず、入金された手票がプール部に収納されるときの動作について図６〜８を用いて説明する。図６は手票を収納する動作を説明する側断面図、図７は手票を収納する動作を説明する正面図、図８は手票が収納されたときの側断面図である。
【００３８】
入金された手票が図１に示す搬送路２から、くせつけローラ５１ａ、５１ｂ、送りローラ５２ａ、５２ｂに送られてくる。このとき、繰り出しベルト部５５ａ、５５ｂは、手票収納皿５０の下方に位置する。これにより、逆流止め５６ａの面Ｂ１は、くせつけローラ５１ａ、５１ｂと送りローラ５２ａ、５２ｂの間の手票が通過する位置で、送られてくる手票に対し、斜面となる。また、逆流止め５６ａの面Ｂ２は、手票収納皿５０から、くせつけローラ５１ａ、５１ｂ、送りローラ５２ａ、５２ｂへ逆流しようとする手票に対し、垂直となる。
【００３９】
手票は、くせつけローラ５１ａ、５１ｂと送りローラ５２ａ、５２ｂの間を通過し、図６、７に示すように、くせつけローラ５１ａ、５１ｂによって、手票の中央部が山状となりこしがつく。こしをつけられた手票の搬送方向の部分は、下方にたわむことがなく、ベルトガイド部５４のベルト５４ａ、５４ｂに接し、ベルト５４ａ、５４ｂの回転による搬送力によって手票収納皿５０の最奥部まで搬送される。手票収納皿５０の最奥部まで搬送された手票の後端は、羽根車５３ａ、５３ｂによって下方に移行せしめられ、図８に示すように手票収納皿５０に収納される。
【００４０】
手票が手票収納皿５０に収納上限枚数収納されたとき、例えば１０枚収納されたとき、または、図１の手票入出口１から投入された手票の手票収納皿５０への収納がすべて終了したとき、図１に示すプレッシャー６によって手票は、手票収納皿５０の開口部から下方へ落とし込まれる。落とし込まれた手票は、図１に示す収納カセット７に収納される。
【００４１】
このように、手票にくせをつけてこしを持たせ、両端をベルトガイド部５４のベルト５４ａ、５４ｂに接触させ、手票収納皿５０の最奥部まで搬送させる。従って、手票は、図２１に示したように先端が下方にたわむことがなく、手票収納皿５０に収納され、手票のジャムの発生を防止し、手票の整理をする手間が省ける。
【００４２】
また、逆流止め５６ａの面Ｂ２を、くせつけローラ５１ａ、５１ｂと送りローラ５２ａ、５２ｂの手票が通過する位置に移行させることにより、手票が、誤って、くせつけローラ５１ａ、５１ｂと送りローラ５２ａ、５２ｂの間に逆流することを防止することができる。
【００４３】
次に、出金される手票がプール部から繰り出されるときの動作について、図９〜１１を用いて説明する。図９は手票を繰り出す動作を説明する側断面図、図１０は手票を繰り出す動作を説明する正面図、図１１は手票が繰り出されるときの側断面図である。
【００４４】
手票収納皿５０にある手票をくせつけローラ５１ａ、５１ｂ、送りローラ５２ａ、５２ｂに繰り出すとき、繰り出しベルト部５５ａ、５５ｂが矢印Ａ１方向に回動する。これによって、手票収納皿５０に収納された手票は、ベルト５５ａａ、５５ｂａと、ベルトガイド部５４のベルト５４ａ、５４ｂに挟まれる。また、繰り出しベルト部５５ａ、５５ｂの矢印Ａ１方向の回動により、ストッパー５６の逆流止め５６ａは、支点５６ｄを中心にして時計回り方向（図９、１０中）に回動する。逆流止め５６ａの面Ｂ１、Ｂ２は、くせつけローラ５１ａ、５１ｂと送りローラ５２ａ、５２ｂの手票が通過する位置より下方に位置し、手票収納皿５０に収納された手票は、くせつけローラ５１ａ、５１ｂ、送りローラ５２ａ、５２ｂを通過可能となる。
【００４５】
この状態でベルトガイド部５４のベルト５４ａ、５４ｂ、繰り出しベルト部５５ａ、５５ｂのベルト５５ａａ、５５ｂａを、手票をくせつけローラ５１ａ、５１ｂと送りローラ５２ａ、５２ｂに繰り出すように回動し、図１１に示すように、手票をくせつけローラ５１ａ、５１ｂと、送りローラ５２ａ、５２ｂの間に繰り出す。
【００４６】
このように、ベルトガイド部５４のベルト５４ａ、５４ｂ、繰り出しベルト部５５ａ、５５ｂのベルト５５ａａ、５５ｂａにより、１つのプール部５で手票の投入、排出が可能となり、部品点数を減らすことができ、小型で安価に製造することができる。
【００４７】
次に、プレッシャーについて詳細に説明する。
図１２はプレッシャーの側面図、図１３はプレッシャーの正面図である。
プレッシャー６は、回転板６０と、可動板６１と、レバー６２と、ばね６３と、プレス板６４と、固定軸６５から構成される。
【００４８】
可動板６１は、開口した長円６１ａ、６１ｂを有する。回転板６０は、突起６０ａを有し、突起６０ａは、可動板６１の長円６１ａに通される。また、可動板６１の長円６１ｂには、手票自動預入れ支払機の筐体などに固定された固定軸６５が通されている。また、可動板６１は、凹型に切り抜かれた凹部６１ｃを有する。
【００４９】
レバー６２は、軸６２ａを有し、可動板６１に揺動可能に固定される。また、レバー６２は、Ｌ字型の孔６２ｂを有する。ばね６３は、可動板６１と、レバー６２に連結されている。
【００５０】
プレス板６４は、可動板６１に揺動可能に固定される軸６４ａと、可動板６１の凹部６１ｃ、レバー６２の孔６２ｂに通される軸６４ｂとを有する。
以下、プレッシャーの動作について、図１２と、図１４〜１６に示すプレッシャーの動作説明図を用いて説明する。
【００５１】
図１２に示すように回転板６０の突起６０ａが最上部にあるとき、可動板６１も最上部に位置する。レバー６２は、ばね６３の縮まろうとする力によって、軸６２ａを中心に、図中時計回り方向に揺動しようとするが、固定軸６５に接触し、揺動が妨げられている状態にある。また、この状態においては、プレス板６４の手票に接する面は、可動板６１の可動方向に対し斜めの状態にある。
【００５２】
回転板６０が図中反時計方向に回転すると、図１４に示すように突起６０ａとともに可動板６１は図中下方に下降する。レバー６２は、ばね６３の縮まろうとする力によって、固定軸６５に接触する範囲まで、軸６２ａを中心に図中時計回り方向に揺動する。レバー６２の揺動により、レバー６２の孔６２ｂを通された、プレス板６４の軸６４ｂは図中下方に下降し、プレス板６４の手票に接する面は、可動板６１の下降方向に対し垂直状態となる。
【００５３】
さらに、回転板６０が図中反時計方向に回転すると、図１５に示すようにレバー６２は、ばね６３の縮まろうとする力によって、軸６２ａを中心に、図中時計回り方向に揺動しようとする。しかし、孔６２ｂと、孔６２ｂに通されたプレス板６４の軸６４ｂによって、揺動が妨げられる。これによって、プレス板６４の手票に接する面は、可動板６１の下降方向に対し垂直状態を維持する。
【００５４】
さらに、回転板６０が図中反時計方向に回転し、図１６に示すように可動板６１が最下点に達したとき、レバー６２は、ばね６３の縮まろうとする力によって、軸６２ａを中心に、図中時計回り方向に揺動しようとするが、孔６２ｂと、孔６２ｂに通されたプレス板６４の軸６４ｂによって、揺動が妨げられる。よって、プレス板６４の手票に接する面は、可動板６１の下降方向に対し垂直状態を維持する。
【００５５】
さらに、回転板６０が回転すると、突起６０ａとともに可動板６１は、上昇をはじめ、上記説明した工程の逆をたどる。
次に、プレッシャーが手票収納皿に収納された手票を落とし込む動作について説明する。
【００５６】
図１７は、プレッシャーが手票収納皿の手票を落とし込む前の状態を示す図である。手票収納皿５０は、斜めに（図１における収納カセット７に収納される手票に対して）配置されている。プレス板６４の手票と接する面は、手票収納皿５０と平行の状態となっている。これにより、手票はプレス板６４に接触することなく、手票収納皿５０に収納される。
【００５７】
図１８は、プレッシャーが手票収納皿の手票を落とし込むときの状態を示す図である。
可動板６１が図中反時計回り方向に回転し、可動板６１は、図中下方（図１における収納カセット７に収納される手票に対しては垂直）に下降し、プレス板６４は、手票収納皿５０に収納された手票に対し斜めの状態となって接触する。これにより、手票は、手票収納皿５０から長手方向の一方から落とし込まれる。
【００５８】
図１９は、プレッシャーが手票収納皿の手票を収納カセットに押し込む前の状態を示す図である。
プレッシャー６は、図１９に示すように、手票を収納カセット７に収納された手票に対して平行状態を保ったまま、収納カセット７に手票を押し込むこととなる。
【００５９】
図２０は手票が手票収納皿から落とし込まれるときの図で、図に示すように、手票の長手方向の一方から落とし込むことによって、ばらけて落ちることによるジャムの発生を防止する。
【００６０】
このように、手票収納皿５０から手票を、手票の長手方向の一方から落とし込むことによって、手票のジャムの発生を防止して手票の整理を不要とすることができる。
【００６１】
【発明の効果】
以上説明したように本発明では、搬送路は、紙葉類を投入排出口方向またはプール手段の方向に搬送し、排出搬送路は第１のカセットに格納された紙葉類を搬送路に繰り出し、プール手段は、搬送路によって搬送された紙葉類を一時的に積層収納するとともに、収納すべき紙葉類を第２のカセットに押し出すようにしたので、部品点数を減らし、紙葉類収納繰り出し装置の小型化、低コスト化を図ることができる。
【００６２】
また、プール手段のくせつけローラは、紙葉類をたわませてこしをつけ、ベルトガイドは、紙葉類に接触して、搬送力をもたせて紙葉類収納皿に引き込む。また、プレッシャーは、紙葉類収納皿の紙葉類を紙葉類の送り方向の一方から第２のカセットに押し込むので、紙葉類のジャムの発生を防止し、紙葉類の整理を不要とすることができる。
【図面の簡単な説明】
【図１】  手票自動預入れ支払機の側断面図である。
【図２】  プール部の平面図である。
【図３】  プール部の側断面図である。
【図４】  プール部の正面図である。
【図５】  ストッパーと搬送ローラと繰り出しベルト部の側断面図である。
【図６】  手票を収納する動作を説明する側断面図である。
【図７】  手票を収納する動作を説明する正面図である。
【図８】  手票が収納されたときの側断面図である。
【図９】  手票を繰り出す動作を説明する側断面図である。
【図１０】  手票を繰り出す動作を説明する正面図である。
【図１１】  手票が繰り出されるときの側断面図である。
【図１２】  プレッシャーの側面図である。
【図１３】  プレッシャーの正面図である。
【図１４】  プレッシャーの動作説明図である。
【図１５】  プレッシャーの動作説明図である。
【図１６】  プレッシャーの動作説明図である。
【図１７】  プレッシャーが手票収納皿の手票を落とし込む前の状態を示す図である。
【図１８】  プレッシャーが手票収納皿の手票を落とし込むときの状態を示す図である。
【図１９】  プレッシャーが手票収納皿の手票を収納カセットに押し込む前の状態を示す図である。
【図２０】  手票が手票収納皿から落とし込まれるときの図である。
【図２１】  従来のプール部の側断面図である。
【図２２】  手票全体が手票収納皿から落とし込まれるときの図である。
【符号の説明】
１  手票入出口
２、４  搬送路
３  出金カセット
５  プール部
６  プレッシャー
７  収納カセット
５１ａ、５１ｂ  くせつけローラ
５２ａ、５２ｂ  送りローラ
５３ａ、５３ｂ  羽根車
５４  ベルトガイド部
５４ａ、５４ｂ、５５ａａ、５５ｂａ  ベルト
５５ａ、５５ｂ  繰り出しベルト部
５６  ストッパー
５６ａ  逆流止め
５６ｂ、６２  レバー
５６ｃ、６３  ばね
６０  回転板
６１  可動板
６４  プレス板
【図１】
0003679050.tif 000002
【図２】
0003679050.tif 000003
【図３】
0003679050.tif 000004
【図４】
0003679050.tif 000005
【図５】
0003679050.tif 000006
【図６】
0003679050.tif 000007
【図７】
0003679050.tif 000008
【図８】
0003679050.tif 000009
【図９】
0003679050.tif 000010
【図１０】
0003679050.tif 000011
【図１１】
0003679050.tif 000012
【図１２】
0003679050.tif 000013
【図１３】
0003679050.tif 000014
【図１４】
0003679050.tif 000015
【図１５】
0003679050.tif 000016
【図１６】
0003679050.tif 000017
【図１７】
0003679050.tif 000018
【図１８】
0003679050.tif 000019
【図１９】
0003679050.tif 000020
【図２０】
0003679050.tif 000021
【図２１】
0003679050.tif 000022
【図２２】
0003679050.tif 000023